(57)【特許請求の範囲】
【請求項１】
始動入賞口と、該始動入賞口に入賞した打玉を検出する始動入賞玉検出手段と、該始動入賞玉検出手段の出力に基づいて表示結果を導出する可変表示装置と、該可変表示装置を含む遊技装置の動作を制御する遊技制御回路基板を収納する回路基板ボックスと、を備えた弾球遊技機において、
前記回路基板ボックスには、前記始動入賞口に入賞した打玉が通過し且つ前記始動入賞玉検出手段が収納される収納部を該回路基板ボックスの遊技制御回路基板よりも取付面側に設ける一方、前記始動入賞玉検出手段を該回路基板ボックスの内側から前記収納部に収納すると共に前記始動入賞玉検出手段と前記遊技制御回路基板との接続部分を該回路収納ボックスの内部に設けたことを特徴とする弾球遊技機。
【請求項２】
前記収納部は、前記回路基板ボックスの取付面側で外側に突出していることを特徴とする請求項１記載の弾球遊技機。
【請求項３】
前記始動入賞玉検出手段及び該始動入賞玉検出手段と前記遊技制御回路基板との接続部分を前記回路基板ボックスの外部から視認可能な状態で内部に設けたことを特徴とする請求項１又は請求項２に記載の弾球遊技機。
【請求項４】
前記回路基板ボックスは、前記遊技制御回路基板を収納する取付基体と蓋体とで構成されると共に、該取付基体と蓋体とを取り外したことが容易にわかる又は取り外すことが困難な封止手段で封止したことを特徴とする請求項１乃至請求項３に記載の弾球遊技機。
【請求項５】
前記回路基板ボックスを弾球遊技機の裏面に取り付けた状態で前記始動入賞玉検出手段及び該始動入賞玉検出手段と前記遊技制御回路基板との接続部分を弾球遊技機の裏面側から視認可能となるように前記遊技制御回路基板に透視部を形成したことを特徴とする請求項１乃至請求項４のいずれかに記載の弾球遊技機。
【請求項６】
前記弾球遊技機の裏面に配置される機構板に前記始動入賞口に入賞した打玉を分離誘導して最終的にすべての入賞玉を集合せしめる入賞玉集合樋に導く始動入賞玉誘導径路を形成し、前記回路基板ボックスを前記機構板の裏面側に取り付けた状態で前記始動入賞玉検出手段を収納する前記収納部が前記始動入賞玉誘導径路の途中に挿入されることを特徴とする請求項１乃至請求項５のいずれかに記載の弾球遊技機。
【請求項７】
前記始動入賞口や可変表示装置が設けられる遊技盤の裏面に入賞玉集合カバーを設けると共に該入賞玉集合カバーの内側に前記始動入賞口に入賞した打玉を分離誘導する始動入賞玉誘導径路を形成し、前記回路基板ボックスを前記入賞玉集合カバーの裏面側に取り付けた状態で前記始動入賞玉検出手段を収納する前記収納部が前記始動入賞玉誘導径路の途中に挿入されることを特徴とする請求項１乃至請求項５のいずれかに記載の弾球遊技機。
【発明の詳細な説明】
【０００１】
【発明の属する技術分野】
本発明は、始動入賞口と、該始動入賞口に入賞した打玉を検出する始動入賞玉検出手段と、該始動入賞玉検出手段の出力に基づいて表示結果を導出する可変表示装置と、該可変表示装置を含む遊技装置の動作を制御する遊技制御回路基板を収納する回路基板ボックスと、を備えた弾球遊技機に関するものである。
【０００２】
【従来の技術】
従来、打玉が始動入賞口に入賞したことを始動入賞玉検出器で検出し、その検出信号に基づいて可変表示装置の表示結果を導出し、その表示結果が予め定めた特定表示結果となったときに大当り遊技状態となって、例えば、可変入賞球装置を繰り返し開放して多数の入賞玉を獲得できるチャンスを付与する弾球遊技機が市場に多数提供されている。このような弾球遊技機にあっては、可変表示装置の表示結果が特定表示結果を表示するか否かを打玉の始動入賞時（始動入賞玉検出器の検出時）に抽出される大当り決定用のランダム数によって決定されていた。この大当り決定用のランダム数は、電源投入時から所定の速度（例えば、２ｍｓｅｃ）で刻々と変化するものである。
【０００３】
ところで、近年、始動入賞玉検出器と遊技制御回路基板とを接続する配線の途中に、前記大当り決定用のランダム数と同期して変化するカウンタを内蔵し且つ始動入賞玉検出器からの検出信号を一旦記憶しておき、前記カウンタの値が所定値（前記大当り決定用のランダム数の大当りの数と同じ値）となったときに遊技制御回路基板にその検出信号を送る不正回路基板が接続される不正行為が行われていることがわかった。また、上記のような不正回路基板と同じような不正を働く目的で、例えば、所定の周波数の電波信号があったときに始動信号があったかの如く遊技制御回路基板に送る不正回路基板も用いられていることがわかった。そして、それらの不正回路基板を配線の束の中に隠したりして不正行為が発見され難いようにしていた。
【０００４】
そこで、本出願人等は、始動入賞玉検出器と遊技制御回路基板との間に不正な回路基板を接続することが困難な弾球遊技機として、始動入賞玉検出器と該検出器と遊技制御回路基板との接続部を回路基板ボックス内に設け、始動入賞口から入賞した打玉を回路基板ボックス内に形成される玉通路を通過させるものを提案した（例えば、特願平９−２３５４３０号）。
【０００５】
【発明が解決しようとする課題】
しかしながら、先に提案した先願技術は、回路基板ボックスに収納される遊技制御回路基板の電子部品の実装面側に玉通路が形成されているので、玉通路の形成位置が実質的に所定の位置に決まってしまって設計の自由度がなく、あるいは、遊技制御回路基板の構成によっては、玉通路を形成することが困難な場合もあるという欠点があった。本発明は、上記した事情に鑑みなされたもので、その目的とするところは、始動入賞玉検出器と遊技制御回路基板との間に不正な回路基板を接続することが困難であると共にどのような構成の回路基板ボックスにも始動入賞玉の通過し得る玉通路を形成することが可能な弾球遊技機を提供することにある。
【０００６】
【課題を解決するための手段】
上記した目的を達成するために請求項１の発明が採用した解決手段は、図１、図１１及び図１５に示すように、始動入賞口４３と、該始動入賞口４３に入賞した打玉を検出する始動入賞玉検出手段としての始動入賞玉検出器１３８と、該始動入賞玉検出器１３８の出力に基づいて表示結果を導出する可変表示装置４１と、該可変表示装置４１を含む遊技装置の動作を制御する遊技制御回路基板１３０を収納する回路基板ボックス１００と、を備えた弾球遊技機１において、前記回路基板ボックス１００には、前記始動入賞口４３に入賞した打玉が通過し且つ前記始動入賞玉検出器１３８が収納される収納部としての検出器収納部材１６０を該回路基板ボックス１００の遊技制御回路基板１３０よりも取付面側に設ける一方、前記始動入賞玉検出器１３８を該回路基板ボックス１００の内側から前記検出器収納部材１６０に収納すると共に前記始動入賞玉検出器１３８と前記遊技制御回路基板１３０との接続部分１４０を該回路収納ボックス１００の内部に設けたことを特徴とするものである。このように構成することにより、始動入賞玉検出器１３８及びその配線１３９の接続部分であるコネクタ１４０が回路基板ボックス１００の内部にあるため、その途中に不正回路基板を介装することは困難になる。また、始動入賞玉検出器１３８を収納する検出器収納部材１６０が遊技制御回路基板１３０の電子部品１３１の実装面と反対側の電子部品が実装されないハンダ面であって回路基板ボックス１００の機構板５０への取付面側に設けられているため、電子部品に邪魔されることなく検出器収納部材１６０の位置を自由に設定できると共に、どのような構成の回路基板ボックス１００でも始動入賞玉の通過し得る玉通路を構成することが可能である。
【０００７】
また、請求項２の発明は、図４に示すように、前記収納部としての検出器収納部材１６０は、前記回路基板ボックス１００の取付面側で外側に突出していることにより、回路基板ボックス１００側に形成される始動入賞玉の流下する玉通路の構成を最も簡略化させることができる。
【０００８】
また、請求項３の発明は、図４に示すように、前記始動入賞玉検出器１３８及び該始動入賞玉検出器１３８と前記遊技制御回路基板１３０との接続部分１４０を該回路基板ボックス１００の外部から視認可能なように上板１０２，導電板１１８，底板１５１，検出器収納部材１６０を透視し得る部材で形成したので、仮に不正が行われていても、外部から始動入賞玉検出器１３８、配線１３９、及びコネクタ１４０を視認できるので、容易に不正が行われたか否かを発見することができる。
【０００９】
また、請求項４の発明は、図３、図９乃至図１１、及び図１２に示すように、前記回路基板ボックス１００は、前記遊技制御回路基板１３０を収納する取付基体１５０と蓋体１０１とで構成されると共に、該取付基体１５０と蓋体１０１とを取り外したことが容易にわかる封止手段（例えば、ホログラムシール１２２）又は取り外すことが困難な封止手段（例えば、溶着突起１０３、ワンウェイネジ１９１）で封止することにより、回路基板ボックス１００内に存在する始動入賞玉検出器１３８、配線１３９、及びコネクタ１４０への不正回路基板の取付を行うことが困難となり、仮に、封止手段１２２，１０３，１９１が破損されていれば、不正行為が行われた可能性が高く、不正行為を容易に発見することができる。
【００１０】
また、請求項５の発明は、図１７乃至図１９に示すように、前記回路基板ボックス１００Ａを弾球遊技機の裏面に取り付けた状態で前記始動入賞玉検出器１３８及び該始動入賞玉検出器１３８と前記遊技制御回路基板１３０との接続部分を弾球遊技機の裏面側から視認可能となるように前記遊技制御回路基板１３０に透視部としての透視開口２２０を形成することにより、回路基板ボックス１００Ａを弾球遊技機から取り外すことなく、外部から始動入賞玉検出器１３８、配線１３９、及びコネクタ１４０を視認できるので、容易に不正が行われたか否かを発見することができる。
【００１１】
また、請求項６の発明は、図６，図７，図１５，図１６に示すように、前記弾球遊技機の裏面に配置される機構板５０に前記始動入賞口４３に入賞した打玉を分離誘導して最終的にすべての入賞玉を集合せしめる入賞玉集合樋６４に導く始動入賞玉誘導径路６６，８０を形成し、前記回路基板ボックス１００を前記機構板５０の裏面側に取り付けた状態で前記始動入賞玉検出器１３８を収納する前記検出器収納部材１６０が前記始動入賞玉誘導径路６６，８０の途中に挿入されることにより、回路基板ボックス１００を機構板５０に装着するだけで始動入賞口４３に入賞した打玉を回路基板ボックス１００に設けられる始動入賞玉検出器１３８で確実に検出することができる。
【００１２】
更に、請求項７の発明は、図２０に示すように、前記始動入賞口４３や可変表示装置４１が設けられる遊技盤４０の裏面に入賞玉集合カバー５２，２３０，２３１を設けると共に該入賞玉集合カバー５２，２３０，２３１の内側に前記始動入賞口４３に入賞した打玉を分離誘導する始動入賞玉誘導径路２３６を形成し、前記回路基板ボックス１００Ｂを前記入賞玉集合カバー２３０，２３１の裏面側に取り付けた状態で前記始動入賞玉検出器１３８を収納する前記収納部としての検出器収納突起２４１が前記始動入賞玉誘導径路２３６の途中に挿入されることにより、回路基板ボックス１００Ｂを入賞玉集合カバー２３０，２３１に装着するだけで始動入賞口４３に入賞した打玉を回路基板ボックス１００に設けられる始動入賞玉検出器１３８で確実に検出することができる。
【００１３】
【発明の実施の形態】
以下、図面を参照して、本発明の実施形態について説明する。まず、図１及び図２を参照して弾球遊技機１の全体の構成について説明する。図１は、実施形態に係る弾球遊技機１の正面図であり、図２は、弾球遊技機１の背面図である。
【００１４】
弾球遊技機１は、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられるガラス板保持枠４と、から構成されている。枠基体３に設けられる主要構成部としては、ガラス板保持枠４、遊技盤４０、上皿１２、灰皿２１を含む下皿１８、操作ハンドル２２、機構板５０、打球発射装置９８がある。また、図示の実施形態では、弾球遊技機１の側方に遊技者に遊技玉を貸し出すためのユニット装置としてのカードユニット装置３０が付設されている。
【００１５】
ガラス板保持枠４には、後述する遊技盤４０の遊技領域をほぼ透視し得る円形透視窓５が開設され、該円形透視窓５の裏面からガラス板が装着されている。また、ガラス板保持枠４には、円形透視窓５の外周に沿って、その上部に装飾ＬＥＤ７が、その左右両側方に装飾蛍光灯６ａ・６ｂが設けられている。この装飾ＬＥＤ７や装飾蛍光灯６ａ・６ｂは、遊技状態に応じて点灯又は点滅されるものであり、大当り遊技状態の発生時や継続時を遊技者に報知すると共に遊技の雰囲気を盛り上げるものである。また、ガラス板保持枠４の軸支側上部には、払い出すべく景品玉が不足したことを報知する玉切れＬＥＤ８や、入賞玉の発生に基づいて所定個数の景品玉が払い出されたことを報知する払出ＬＥＤ９が設けられ、更に、ガラス板保持枠４の上部左右に遊技の進行に応じた効果音を発生するスピーカ１０ａ・１０ｂが設けられている。なお、上記した構成のうち、装飾ＬＥＤ７や玉切れＬＥＤ８及び払出ＬＥＤ９は、複数のＬＥＤがプリント配線基板上に実装されるように構成されるものであるが、このプリント配線基板を金属ベースプリント配線基板で構成することにより、ＬＥＤから発生される熱の放熱効果を高めることができる。
【００１６】
次に、ガラス板保持枠４の下部で開閉自在に取り付けられる上皿１２の構成について説明すると、上皿１２は、合成樹脂製の上皿開閉板１１の表面に複数の合成樹脂製部材を組合せた皿部材を固着することにより構成されている。上皿開閉板１１には、その開放側の上端に玉抜き操作レバー１６が設けられている。この玉抜き操作レバー１６は、左右方向に移動可能に設けられ、図示しないスプリングの付勢力に抗して一方向に移動させることにより、上皿１２に貯留されていた玉を上皿開閉板１１の裏面に形成される玉抜き路（図示しない）を流下させて下皿１８に誘導するものである。また、上皿１２には、その内部に圧電ブザー１７が内蔵されている。この圧電ブザー１７は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。
【００１７】
上記した上皿１２について、さらに詳細に説明すると、上皿１２は、その上流側に形成される賞球払出口１４とその下流側に形成される打球供給口１５とを連絡するように貯留整列路１３が形成されており、その貯留整列路１３の中程底面裏面に上皿玉検出器（図示しない）が設けられている。この上皿玉検出器は、上皿１２に残留する打玉を検出するものである。また、上皿１２には、弾球遊技機１に隣接して設けられるカードユニット装置３０を介して遊技玉を借り受ける際に操作する操作部が設けられている。なお、この操作部は、玉貸スイッチ、返却スイッチ、自動玉貸スイッチ、度数表示ＬＥＤ、及び自動玉貸表示ＬＥＤ（共に図示しない）から構成されている。玉貸スイッチは、カードユニット装置３０によって遊技玉を借り受ける際に操作するものである。返却スイッチは、遊技終了の際にカードユニット装置３０のカード投入口３３に差し込まれたカードを返却するためのものである。度数表示ＬＥＤは、カードユニット装置３０のカード投入口３３に差し込まれたカードの残額が表示されるものである。また、自動玉貸スイッチは、借り受けるべき遊技玉を前記玉貸スイッチを操作して行うマニュアルモードと、上皿１２の打玉の残量が前記上皿玉検出器によって検出されなくなったときに自動的に遊技玉を払い出す自動モードと、のいずれかのモードに設定するものであり、自動モータが選択設定されているときには、自動玉貸表示ＬＥＤが点灯している。
【００１８】
しかして、後述する遊技盤４０の遊技内容において大当り遊技状態が発生すると、短時間に多量の入賞玉を獲得するチャンスがある。このように大当り遊技状態という遊技者にとって極めて大きなチャンスは、上皿１２の残留玉がほとんどなくなった時点で発生する場合もあり、このような場合、続けて打玉を発射させて打玉を可変入賞球装置４２の特定入賞領域に入賞させる必要があるにも拘らず、打玉が上皿１２に残存しないので、慌てて玉貸スイッチを操作して遊技玉を借り受けなければならない。しかし、玉貸スイッチを操作してから遊技玉が払い出され、しかもその玉が発射されて可変入賞球装置４２の特定入賞領域に到達するまでに多少の時間がかかるため、その時間の間に有利なチャンス（継続権の成立）を逃してしまうという不都合があるが、本実施形態においては、自動玉貸スイッチを自動モードに設定しておけば、上皿玉検出器が打玉の不存在を検出した時点で自動的に遊技玉を上皿１２に払い出すので、上記したような不都合は生じない。なお、上皿１２として上記した制御を行わないならば、上皿玉検出器及び自動玉貸スイッチを省略したものでも良い。
【００１９】
なお、本発明に係る特定の遊技価値（大当り遊技状態）は、以下に示す▲１▼〜▲５▼の制御のうちいずれか１つの制御又は組合せた制御を実行する状態であればよい。
【００２０】
▲１▼  打玉の入賞を容易にする第一の状態と、打玉が入賞できない又は入賞し難い第二の状態と、に変化可能な可変入賞球装置に対して所定時間連続的又は間欠的に第一の状態にする制御
▲２▼  特定の入賞又は通過領域での打玉の検出を介在させ、打玉の入賞を容易にする第一の状態と、打玉が入賞できない又は入賞し難い第二の状態と、に変化可能な可変入賞球装置に対して所定時間連続的又は間欠的に第一の状態にする制御
▲３▼  打玉の入賞に関わらず所定数の景品玉を直接排出する制御
▲４▼  有価価値を有する記憶媒体（カードやレシート等）に対して有価数を加算する制御
▲５▼  得点があることに基づいて遊技可能な弾球遊技機に対して得点を付与する制御。
【００２１】
また、枠基体３の下部に取り付けられる下皿１８は、前記上皿１２から溢れた賞球であって余剰玉通路（図示しない）を介して余剰玉払出口１９から排出される余剰の賞球を貯留するものであり、その下皿１８の前面壁には、玉抜き操作レバー２０がスライド可能に取り付けられるようになっている。この玉抜き操作レバー２０を操作することにより、下皿１８に貯留されていた賞球を下方に玉抜きして持ち運び可能な玉箱に移し替えることができる。また、下皿１８の左側には、灰皿２１が設けられ、右側には、操作ハンドル２２が設けられている。操作ハンドル２２は、後述する打球発射装置９８の発射装置モータ９９の駆動を開始せしめるメインスイッチ及びタッチアンテナ（共に図示しない）を内蔵していると共に、弾発力を調節するものである。
【００２２】
弾球遊技機１の正面構造は、概ね上記した通りであるが、図示の実施形態では、弾球遊技機１にカードユニット装置３０が隣接されている。このカードユニット装置３０は、前記上皿１２の上面に設けられる前述した操作部を操作することにより作動されるものである。しかして、カードユニット装置３０は、使用可能状態であるか否かを表示する使用可能表示器３１と、当該カードユニット装置３０がいずれの側の弾球遊技機１に対応しているか否かを表示する連結台方向表示器３２と、記録媒体としての磁気カードを挿入するカード投入口３３とが設けられている。そして、このように構成されるカードユニット装置３０は、独自の制御回路によって制御されるものであるが、上皿１２に設けられる玉貸スイッチ、返却スイッチ、及び度数表示ＬＥＤや、後述する制御基板ボックス６４内に収納された賞球払出制御基板６３と接続されている。なお、カードユニット装置３０を弾球遊技機１に内蔵しても良い。また、本実施形態においては、遊技者に遊技玉を貸し出すためのユニット装置としてカードユニット装置３０を例示したが、例えば、紙幣等を挿入し得るユニット装置であっても良い。
【００２３】
次に、遊技盤４０の正面構造について説明すると、遊技盤４０は、前記枠基体３の裏面側に一体的に形成される遊技盤収納枠（図示しない）に収納固定されるべく、ほぼ正方形状の合板により形成され、その表面には、円形うず巻き状に誘導レール（図示しない）が取り付けられ、該誘導レールの内側が遊技領域とされて発射された打玉が落下するものである。遊技領域には、図示の場合、ドラム状可変表示装置４１や可変入賞球装置４２やドラム状可変表示装置４１の可変表示を許容する始動入賞口４３が設けられると共に、単に打玉を入賞とする入賞口４４・４５、打玉の流下方向及び速度を変化せしめる風車又は多数の障害釘が設けられ、また、遊技領域の最下方には、いずれの入賞領域にも入賞しない打玉が取り込まれるアウト口４６が設けられている。
【００２４】
一方、弾球遊技機１の裏面側には、図２に示すように、機構板５０が開閉自在に設けられている。機構板５０の中央には、窓開口５１が開設され、該窓開口５１からは、前記遊技盤４０の裏面に取り付けられた入賞玉集合カバー体５２が臨んでいる。入賞玉集合カバー体５２には、そのほぼ中央に前記ドラム状可変表示装置４１の後方突出部が突出する開口が形成されると共に、その開口の一側裏面に中継基板５３が取り付けられている。この中継基板５３には、前記ドラム状可変表示装置４１に設けられるドラム表示制御回路基板５４から延びる一部の配線と遊技盤４０上に設けられる各種電気部品から延びる配線とがコネクタ接続されると共に、後述する遊技制御回路基板１３０がコネクタ接続されている。また、ドラム表示制御回路基板５４には、前記可変表示装置４１を構成する各種電気部品（ドラムモータ、ドラムランプ、ドラムセンサ等）からの配線がコネクタ接続されると共に、遊技制御回路基板１３０からの集合配線もコネクタ接続されている。なお、入賞玉集合カバー体５２の前面側には、周知のように各入賞口に入賞した打玉を個別に下流側に向かって誘導する誘導径路が形成されるが、その誘導径路の１つに前記始動入賞口４３に対応して設けられる始動玉誘導径路５２ａ（図１５，図１６参照のこと）がある。この始動玉誘導径路５２ａについては、後に詳述する。
【００２５】
また、前記機構板５０には、発生した入賞玉に基づいて所定個数の賞球を払い出す玉タンク５５と、賞球払出装置５６と、玉タンク５５内の玉を賞球払出装置５６に送る玉整列レール５７、カーブ樋５８、及び通路体５９と、玉止め部材６３、払出ソレノイド６１、及び入賞玉検出器６２を備えた入賞玉処理装置６０と、遊技制御回路基板１３０を収納した回路基板ボックス１００と、賞球払出制御基板９０を収納した制御基板ボックス９１と、ユニット中継基板９２を収納した中継基板ボックス９３と、ターミナル基板９４を収納したターミナル基板ボックス９５と、が設けられている。遊技制御回路基板１３０は、ＣＰＵ、ＲＡＭ、及びＲＯＭを備えてドラム式可変表示装置４１や可変入賞球装置４２等の遊技装置の遊技動作を制御するものである。賞球払出制御基板９０は、賞球払出装置５６の動作を制御するものである。ユニット中継基板９２は、弾球遊技機１の賞球払出制御基板９０とカードユニット装置３０との配線を中継するものである。ターミナル基板９４は、遊技制御回路基板１３０に電源を供給するものである。また、弾球遊技機１の裏面には、上記した機構板５０以外の領域に、装飾制御基板９６を収納した装飾基板ボックス９７と、発射装置モータ９９を備えた打球発射装置９８とが設けられている。装飾制御基板９６は、遊技制御回路基板１３０からの指令又はデータに基づいて弾球遊技機１の前面に設けられる電気的装飾部品（ランプ等）の動作を制御するものである。
【００２６】
なお、上記した各種基板及び装置には、所定の配線を接続するためのコネクタが設けられており、特に、ターミナル基板ボックス９５に収納されるターミナル基板９４は、遊技制御回路基板１３０に電源を供給するだけでなく、弾球遊技機１に設けられる各種電気的装置、例えば、上記した各基板及び打球発射装置９８にも電源を供給すると共に、弾球遊技機１の内部での信号線の中継、あるいは弾球遊技機１と外部との信号線の中継を行うための端子も設けられている。
【００２７】
以上、弾球遊技機１の概略構成を説明したが、本実施形態においては、機構板５０の一部の構成において従来の構成と相違する点があるので、先にこの説明をする。即ち、図６に示すように、機構板５０の窓開口５１の下方には、始動入賞玉集合部材６６が一体的に形成されている。この始動入賞玉集合部材６６は、前記始動入賞口４３に入賞した打玉を導くものであり、その後面が閉塞されて内部が中空状となるように形成され、その底面が一側に向かって傾斜する入賞玉傾斜樋６７となっている。また、入賞玉傾斜樋６７には、その奥側の長さ方向に沿って該傾斜樋６７上を転動する始動玉の流れをスムーズに行う誘導リブ６８が一体的に取り付けられている。なお、始動入賞玉集合部材６６の後面の一側には、玉入口６９が開設され、この玉入口６９が前記始動玉誘導径路５２ａの末端に対応している。したがって、始動入賞口４３に入賞した打玉は、始動玉誘導径路５２ａを流下して玉入口６９から入賞玉傾斜樋６７に落下して下流側に転動するものである。
【００２８】
一方、入賞玉傾斜樋６７の流下端には、始動玉が１個ずつ落下する玉出口７０が形成され、その玉出口７０の下方に所定間隔を空けて誘導通路部８０が機構板５０と一体的に形成されている。この誘導通路部８０は、機構板５０の前面側下部に傾斜状に突設される入賞玉集合樋６４に連通するように形成されるものであり、前記玉出口７０から落下した打玉を入賞玉集合樋６４に導くものである。ただし、玉出口７０と誘導通路部８０との間隔内には、本実施形態の要部を構成する回路基板ボックス１００の取付面側の外部に突設される検出器収納部材１６０が挿通されるので、打玉が玉出口７０から誘導通路部８０に移動する際にその打玉が始動入賞玉検出器１３８に検出されるようになっている。なお、本実施形態においては、回路基板ボックス１００を機構板５０に止着される取付台２１０にスライドさせながら装着する構造となっており、そのスライド装着時に前記検出器収納部材１６０が前記玉出口７０と誘導通路部８０との間隔にスムーズに且つ確実に挿入されるため、誘導リブ７１と係合突起７２とが上記間隔の後面に形成されている。
【００２９】
なお、始動入賞玉集合部材６６の前面側は、カバー板７５によって閉塞されるようになっているが、そのカバー板７５をビス止めするために中空部のほぼ中央と中空部の両外側に止めボス７４が突設され、該止めボス７４に対応する位置に形成されるカバー板７５の止め穴７６と止めボス７４とを対応させてビス８３で止着することによりカバー板７５を始動入賞玉集合部材６６に止着することができる。また、始動入賞玉集合部材６６の中空部内の始動玉の流下に影響を及ぼさない位置には、前記取付台２１０を止着するための取付ボス７３も突設されている。この取付ボス７３と同じボスが始動入賞玉集合部材６６の下方部にも２つ突設されている。なお、中空部に突設される取付ボス７３に対応するカバー板７５には、該ボス７３の先端が臨むように貫通穴７７が形成されている。しかして、取付台２１０を取り付けるには、取付台２１０の底面に形成される止め穴２１５を取付ボス７３に対応させてビス２１０を螺着することにより簡単に行うことができる。
【００３０】
しかして、上記のように構成される始動入賞玉集合部材６６は、後に詳述するように前記始動入賞口４３に入賞した打玉を始動入賞玉検出器１３８で検出させた後、機構板５０の前面側に形成される入賞玉集合樋６４に戻すためのものであり、図示の場合には、この始動入賞玉集合部材６６と誘導通路部８０とは、始動入賞玉径路を構成するものである。なお、図６に示す実施形態においては、始動入賞玉集合部材６６の中空部を構成する後面が一体成型によって閉塞されたものを示したが、図８に示す始動入賞玉集合部材６６ａのように後面側もカバー板７５と同様にビス止めし得るように着脱自在な裏カバー板８１で形成してもよい。このように着脱自在な裏カバー板８１で始動入賞玉集合部材６６ａの後面壁を形成した場合には、玉入口６９の開設位置及び数が異なる場合に容易に対応することができ、始動入賞口４３の配置位置の異なる各種の遊技盤４０に対して裏カバー板８１を交換するだけでよいため、機構板５０の汎用性が増大し、コストを低減することができる。なお、裏カバー板８１には、該カバー板８１を始動入賞玉集合部材６６ａにビスで止着するための止め穴８２及び誘導リブ６８が一体的に形成されている。また、始動入賞玉集合部材６６自体を別体に構成して機構板５０に対して着脱自在にしてもよい。更に、始動入賞玉の通過する部分、始動入賞玉集合部材６６又はその一部、カバー板７５，８１等を導電性合成樹脂や金属体などの導電部材で形成してもよい。これにより静電気の除去が図れる。
【００３１】
次に、本実施形態の要部を構成する回路基板ボックス１００について、図３乃至図１６を参照して説明する。図３は、回路基板ボックス１００と取付台２１０との関係を示す斜視図であり、図４は、背面から見た回路基板ボックス１００の斜視図であり、図５は、回路基板ボックス１００の正面図であり、図６は、回路基板ボックス１００を取り付ける位置の機構板５０の部分斜視図であり、図７は、機構板５０の回路基板ボックス１００を装着したときに検出器収納部材１６０が始動入賞玉誘導径路に介装される状態を示す部分拡大図であり、図８は、回路基板ボックス１００を取り付ける位置の図６と異なる構造を有する機構板５０の部分斜視図であり、図９は、回路基板ボックス１００を構成する蓋体１０１の分解斜視図であり、図１０は、蓋体１０１を構成する上板１０２と蓋枠１１２とを相互に密着する構造を示す部分断面図であり、図１１は、回路基板ボックス１００を構成する取付基体１５０の分解斜視図であり、図１２は、蓋体１０１と取付基体１５０との被覆状態の解除が困難な構造を示す部分断面図であり、図１３は、その被覆状態の解除が困難な構造の一例であるワンウェイネジ１９１を説明するための説明図であり、図１４は、蓋体１０１と取付基体１５０とを検査用に開放する場合についての説明図であり、図１５は、回路基板ボックス１００を機構板５０に取り付けた状態の断面図であり、図１６は、始動玉の流下径路を示す機構板５０の背面図である。
【００３２】
回路基板ボックス１００は、図３に示すように、前記遊技制御回路基板１３０を内部に収納する蓋体１０１及び取付基体１５０の組付体からなり、この組付体が取付台２１０を介して前記機構板５０に取り付けられて構成される。先ず、ボックス１００内に収納される遊技制御回路基板１３０について図５及び図１１を参照して説明する。遊技制御回路基板１３０は、図１１に示すように、長方形状のプリント配線基板によって構成されており、その上面の大部分はＲＯＭ等の電子部品１３１を実装する電子部品実装領域１３２として形成される一方、幅方向一側の領域がコネクタ１３３を実装するコネクタ実装領域１３４として形成されている。また、遊技制御回路基板１３０には、幅方向一側の両端に止め穴１３５が穿設される一方、幅方向他側の両端には係合穴１３６が穿設されている。なお、遊技制御回路基板１３０の上面及び下面における止め穴１３５の外周には、メッキ部（図示しない）が設けられている。このメッキ部は、遊技制御回路基板１３０を後述の本体枠１７０にビス２０６で止着する際、遊技制御回路基板１３０のグランドライン（図示しない）と本体枠１７０とを導通させるためのものであり、回路基板ボックス１００内で発生する静電気から遊技制御回路基板１３０を保護するようになっている。また、各実装領域１３２・１３４が形成された遊技制御回路基板１３０の上面には、電子部品１３１とコネクタ１３３を電気的に接続する配線パターン１３７が形成されている（図５参照）。なお、図示の実施形態においては、電子部品実装領域１３２に始動入賞玉検出器１３８から延びる配線１３９のコネクタ１４０が接続し得るようになっている。始動入賞玉検出器１３８については、後に詳述する。
【００３３】
また、上記した遊技制御回路基板１３０のコネクタ実装領域１３４には、図１１に示すように、透明合成樹脂製の被覆部材２００が取り付けられるようになっている。被覆部材２００は長板形状をなし、その長手方向の両端側には、ビス２０６で遊技制御回路基板１３０と共締めする取付穴２０１が穿設されている。各取付穴２０１間には、コネクタ実装領域１３４に並設されたコネクタ１３３を個々に挿通する挿通穴２０２が複数穿設されている。また、被覆部材２００の幅方向一側の両端部には、被覆部材２００の長手方向に沿って延びる規制壁２０３が上方に突設され、その規制壁２０３の内向側端部分から被覆部材２００の下面にかけて規制壁２０４が突設されている。規制壁２０４の下端部には、後述する底板１５１の取付穴１５２に嵌合する取付突起２０５が突設されている。
【００３４】
次に、蓋体１０１について説明すると、蓋体１０１は、図９に示すように、透視性を有する上板１０２と、金属製の蓋枠１１２と、透視性及び導電性を有する導電板１１８と、を備えている。上板１０２は、透明合成樹脂の長方形板からなり、その下面側の外周端部には、所定間隔を置いて複数の溶着突起１０３が突設されている。上板１０２の長手方向の両端側には、複数（実施形態中では、３つ）の取付片部１０４ａ〜１０４ｃが並設されている。取付片部１０４ａ〜１０４ｃは、各々、上板１０２の側壁を構成する部分と、上板１０２の上壁を構成する部分と、を有した断面Ｌ字状をなし、上板１０２の側壁構成部分には、各取付片部１０４ａ〜１０４ｃ間を連結する連結部１０５ａ〜１０５ｃが一体成形され、上板１０２の上壁構成部分には、各取付片部１０４ａ〜１０４ｃ間を連結する連結部１０６ａ〜１０６ｃが一体成形されている。各取付片部１０４ａ〜１０４ｃ間には、スリット状の溝が形成され、連結部１０５ａ〜１０５ｃ・１０６ａ〜１０６ｃは、取付片部１０４ａ〜１０４ｃの外壁面から突出した状態で設けられている（図１２参照）。また、取付片部１０４ａ〜１０４ｃの上壁構成部分には、それぞれ取付穴１０７ａ〜１０７ｃが穿設されており、取付片部１０４ｃの隣接部であり且つ上板１０２の幅方向一側の両端隅角部には、取付穴１０７ｄが穿設されている。さらに、上板１０２の上面には、貼付凹部１０９・１１１が形成されている。貼付凹部１０９には、弾球遊技機１の機種名を記した機種名シール１０８が貼着され、貼付凹部１１１には、遊技制御回路基板１３０を検査した際に書き込む「検査者」「検査日」の各項目を記した検査履歴シール１１０が貼着されている。
【００３５】
なお、上記した各取付穴１０７ａ〜１０７ｄの上方部分は、取付基体１５０との組み付け状態で組み付け用のビス１９１を蓋枠１１２の外壁面に入り込ませるような凹形状をなしている（図１２（Ａ）参照）。このため、ビス１９１の頭部を切断してビス止めを解除する不正行為が防止できる。また、各連結部１０５ａ〜１０５ｃ・１０６ａ〜１０６ｃには、それぞれ回路基板ボックス１００の開放手順を示唆するための刻印「１〜３」が施されている（図５参照）。具体的には、取付片部１０４ａに対応する連結部１０５ａ・１０６ａには「１」の刻印が施され、取付片部１０４ｂに対応する連結部１０５ｂ・１０６ｂには「２」の刻印が施され、取付片部１０４ｃに対応する連結部１０５ｃ・１０６ｃには「３」の刻印が施されている。
【００３６】
蓋枠１１２は、上面に開口部１１３を有し、該開口部１１３以外となる残りの上面領域には、上板１０２側の複数の溶着突起１０３を個々に挿通する挿通穴１１４が複数穿設されている。また、蓋枠１１２の外周縁部には、全周に亘って側壁が垂下形状されている。蓋枠１１２の長手方向両端の側壁は、取付基体１５０との組み付け状態で後述する取付片１８２の先端部分と当接する当接壁１１６として形成され（図１２参照）、その下端側の前後２箇所には、係合爪１１５が突設されている。蓋枠１１２の幅方向一側の側壁は、回路基板ボックス１００内に収納される遊技制御回路基板１３０の電子部品実装領域１３２とコネクタ実装領域１３４とを蓋枠１１２の内外に仕切る仕切り壁１１７として形成されている（図９参照）。
【００３７】
導電板１１８は、上板１０２と同様に透明合成樹脂の長方形板からなり、その上面側には黒色塗装を施した導電性繊維１１９が全域に接合して設けられている。導電板１１８の外周端部には、蓋枠１１２に穿設された挿通穴１１４と同様に、上板１０２側の溶着突起１０３を個々に挿通する挿通穴１２０が複数穿設されていると共に短辺側のほぼ中央に切欠部１２１が形成されている。ここで、導電性繊維について簡単に説明すると、導電性繊維は、大きく分けて金属製（銅、黄銅、ニッケル、アルミニューム等）のフィラメントを網状に織ったものと、合成繊維に導電性粒子（銅、カーボン等）を塗布又は含浸させたものと、があり、いずれの種類の導電性繊維においても、電磁シールド効果及び光線透過率の見地から、５０〜２５０メッシュ（特に、１００〜２００メッシュがよい）程度で、その開口率１０〜９０％（特に、３０〜８０％がよい）であることが望ましい。そして、メッシュという構造上、どうしても透視性が悪くなるが、本実施形態では、これを抑制するために、導電性繊維１１９を金属色を避けた濃色（実施形態中では、黒色）にすることで透視性を向上させている。
【００３８】
なお、本実施形態では、透明合成樹脂板に導電性繊維１１９を接合することで導電板１１８を構成しているが、導電板の構成はこれに限定するものではなく、透明合成樹脂板に導電性繊維を埋設して導電板（俗にＣＲＴフィルターなどともいう）を構成してもよい。この場合、その透明合成樹脂板を濃色とすることにより透視性を向上させることができる。また、透明導電層の形成によって導電板を構成してもよい。この透明導電層について簡単に説明すると、透明導電層は、金、白金、銀、錫、アルミニウム、ニッケル、パラジウム、あるいはアンチモン等の金属や酸化インジウムあるいは酸化錫等の金属酸化物、又はこれらの混合物を真空蒸着、スパッタリング、イオンプレーティング、ＣＶＤ等の方法により導電性と透視性を有する厚みの層として樹脂材等の表面に形成されるものである。透明導電層の厚みは、通常５〜１０００ｎｍ程度であり、その電気伝導性は、１００００Ω／□以下、好ましくは１０００Ω／□以下の電気抵抗率が適当である。しかして、蓋体１０１は、図１０（Ａ)(Ｂ）に示すように、蓋枠１１２の挿通穴１１４及び導電板１１８の挿通穴１２０を挿通した上板１０２の溶着突起１０３が超音波溶着されることで、上板１０２、蓋枠１１２、及び導電板１１８の組付体として構成されている。また、このような溶着突起１０３の溶着により、導電板１１８の導電性繊維１１９は、蓋枠１１２と確実に導通される。なお、溶着突起１０３の溶着において、上板１０２（溶着突起１０３）と導電板１１８とを同一素材で形成した場合には、溶着突起１０３の溶着部分が導電板１１８に混じり合い、より一層強固な溶着が可能になる。また、蓋体１０１の組み付け方法は、超音波溶着以外にも熱溶着したり、溶剤又は接着剤を用いてもよい。また、このような蓋体１０１の組み付け状態において、上板１０２の上面と蓋枠１１２の側面との間には、長方形状のホログラムシール１２２が貼着され、これによって蓋体１０１の組み付け状態が担保されるようになっている。
【００３９】
ここで、ホログラムシール１２２について簡単に説明すると、ホログラムシールは、ホログラム層と光反射層と接着剤層とを備え、ホログラム層に形成されるホログラム図柄を偽造困難な図柄に構成することで、不正行為に伴うシールの貼り替えを防止するようになっている。このホログラム図柄は、ホログラムシールの表面に入射したコヒーレント光（レーザー光）がホログラム層のエンボス面を透して光反射層に入り、光反射層からホログラム干渉光としてホログラムシールの外方に反射されることで形成される。また、ホログラムシールを剥した場合は、もう一度貼り直してもホログラム図柄が元の形状にならないので、剥した痕跡が残る。
【００４０】
一方、取付基体１５０は、図１１に示すように、透視性を有する底板１５１と、金属製の本体枠１７０と、を備えている。底板１５１は、透明合成樹脂の長方形板からなり、その上面側には、遊技制御回路基板１３０の下面を支承するためのフランジ片１５３が四隅近傍部及び幅方向両端の中央部に立設されている。なお、幅方向一側の二隅近傍部に立設されたフランジ片１５３には、後述する係合片１７８との干渉を逃がすためのスリット部１５４が形成されている。一方、幅方向他側の二隅近傍部に立設されたフランジ片１５３の近傍には、後述する取付片１７６を貫通する貫通穴１５５が穿設され、その近傍には、被覆部材２００の取付突起２０５を嵌合する取付穴１５２が穿設されている。また、長手方向一側のほぼ中央部には、切欠部１５６が穿設されている。この切欠部１５６は、回路基板ボックス１００を取付台２１０に取り付けた状態で後述する係合突起２１４との干渉を逃がすための切り欠きである。
【００４１】
また、底板１５１の中央部よりやや端部寄りに検出器収納部材１６０を嵌め込むための取付凹部１５７が形成されている。この取付凹部１５７のほぼ中央には、挿通開口１５８が形成されると共にその両サイドに止め穴１５９が形成されている。取付凹部１５７に挿入される検出器収納部材１６０は、内部を透視し得る合成樹脂で構成されると共に直方体状の始動入賞玉検出器１３８を長手方向に沿って受け入れる検出器収納空間１６１を有するように構成され、その基部が正方形状となって前記取付凹部１５７に収納されると共に基部に形成される取付穴１６３が前記止め穴１５９に嵌合一致し、その一致した状態でビス１６６を螺着することにより、検出器収納部材１６０を底板１５１に取り付けることができる。しかして、検出器収納部材１６０の取り付けは、回路基板ボックス１００の内側からしか取り付けることができないようになっている。また、検出器収納部材１６０を取付凹部１５７に収納固定した状態においては、検出器収納空間１６１が回路基板ボックス１００の機構板５０への取付面側から外側に突出した状態となっており、その突出した部分の検出器収納空間の一側端部寄りに打玉の直径よりもやや大きな玉通過穴１６４が開設されている。
【００４２】
ところで、前記検出器収納空間１６１に始動入賞玉検出器１３８を挿入したときには、図１５に示すように、始動入賞玉検出器１３８の長手方向の下部が係止爪１６２によって係止されて始動入賞玉検出器１３８が検出器収納空間１６１から簡単に抜け出さないようになっているが、抜き取る場合には、係止爪１６２を下方に押し下げてやれば簡単に引き抜くことができるようになっている。但し、始動入賞玉検出器１３８の検出器収納空間１６１への挿入は、回路基板ボックス１００の内部からしか行えないので、回路基板ボックス１００が分解された状態でしか始動入賞玉検出器１３８の脱着を行うことができない。また、始動入賞玉検出器１３８は、その一側寄りに打玉が通過し得る検出穴を有する磁気検出型のものであり、始動入賞玉検出器１３８を検出器収納空間１６１に完全に収納した状態では、その検出穴が前記玉通過穴１６４と合致し、打玉が通過し得るようになっている。なお、検出器収納部材１６０の先端面には、機構板５０に突設される前記係合突起７２と係合する係合溝１６５（図４参照）が形成されている。この係合突起７２と係合溝１６５との係合により検出器収納部材１６０の横方向へのズレがなくなり、玉の通過がスムーズになる。
【００４３】
上記のようにして底板１５１に取り付けられる検出器収納部材１６０に始動入賞玉検出器１３８を収納させた状態において、始動入賞端検出器１３８が遊技制御回路基板１３０のハンダ面側に位置するので、始動入賞玉検出器１３８に接続される配線１３９を遊技制御回路基板１３０の電子部品の実装面に実装される前記コネクタ１４０に接続するためには、該配線１３９を遊技制御回路基板１３０のハンダ面側から実装面側に引き出さなければならないが、図示の実施形態においては、遊技制御回路基板１３０の端縁と次に詳述する本体枠１７０の側壁との間に形成される隙間から引き出すようにしている。なお、底板１５１の外側面（裏面）には、補強用のリブ１６７が突設されている。
【００４４】
次に、本体枠１７０の構成について説明すると、本体枠１７０は、下面に開口部１７１を有すると共に、その外周縁部には全周に亘って側壁を有する形状となっている。開口部１７１の内周縁部には、その長手方向両側に断面Ｌ字状をなす係合片１７２が所定の条設長さで形成され、内周縁部の長手方向一側には、係止穴１７４を穿設した係止片１７３が形成されている。また、開口部１７１以外となる残りの下面領域には、複数の軽減穴１７５が穿設されている。下面領域における長手方向一側の両端には、取付穴１７７を穿設した取付片１７６が形成され、下面領域における幅方向他側の両端には、係合突起１７９を備えた係合片１７８が形成されている。また、上記した係合片１７２は、後で詳述する取付台２１０への取り付け時に取付台２１０側の係合レール２１１と係合し易いように先端部分が若干下方に折曲されている。
【００４５】
また、本体枠１７０の長手方向一側壁には、複数の放熱穴１８０が穿設されている。本体枠１７０の長手方向の両側壁には、その長手方向の両端部に補強片１８１が延設されている。この補強片１８１は、延設部分から内向側に折曲されることで本体枠１７０の長手方向両側壁を内側から押さえ、本体枠１７０の強度を向上するようになっている。また、側壁間の隙間を塞ぐので、側壁間を広げて不正に改造しようとしてもできない。なお、このような補強片は、本体枠１７０に限らず蓋枠１１２側に設けてもよい。本体枠１７０の長手方向の両側壁の上端部分は、内向側に折曲された取付片１８２として形成されており、該取付片１８２には、蓋体１０１側の取付穴１０７ａ〜１０７ｄと個々に対応する取付穴１８３〜１８６が穿設されている。取付穴１８４〜１８６の近傍には、それぞれ装備用のワンウェイネジ１９１を挿通状態で装備しておく装備穴１８７〜１８９が穿設されている。また、取付片１８２の先端側の前後２箇所には、蓋体１０１側の係合爪１１５を係止する係止溝１９０が形成されている。
【００４６】
しかして、上記した蓋体１０１及び取付基体１５０は、以下に示す組み付けによって遊技制御回路基板１３０を収納した組付体（回路基板ボックス１００）として構成される。先ず、遊技制御回路基板１３０と底板１５１とを重畳して本体枠１７０に装着し、遊技制御回路基板１３０の係合穴１３６に係合片１７８の係合突起１７９を挿通する。次に、遊技制御回路基板１３０のコネクタ１３３を挿通穴２０２に挿通させて被覆部材２００をコネクタ実装領域１３４に装着し、被覆部材２００の取付穴２０１と遊技制御回路基板１３０の止め穴１３５を取付片１７６の取付穴１７７にビス２０６で共締めする。これにより、被覆部材２００及び遊技制御回路基板１３０が底板１５１を挟んで本体枠１７０にビス２０６で止着された状態となる。なお、このような遊技制御回路基板１３０の取り付け固定において、止め穴１３５と取付穴１７７との穴位置を合せる際、遊技制御回路基板１３０が若干ズレることで係合突起１７９と係合穴１３６とが係合し、ビス止めされない遊技制御回路基板１３０の長手方向一側も固定される。また、コネクタ実装領域１３４は、図５に示すように、その上面に被覆部材２００が取り付けられることで、コネクタ１３３以外の部分、言い換えれば配線パターン１３７を形成した部分が被覆部材２００によって被覆される。このようにして配線パターン１３７を被覆した被覆部材２００は、取付突起２０５が底板１５１の取付穴１５２に嵌合することで底板１５１に対して位置決めされている。
【００４７】
次に、上面が開放している取付基体１５０に蓋体１０１を被せる。このとき、蓋体１０１側の４つの係合爪１１５は、図９及び図１１に示すように、それぞれＣ〜Ｆ方向への挿入によって取付基体１５０側の係止溝１９０に係止され、取付基体１５０及び蓋体１０１の位置決め的な取り付けが行われる。なお、このような係合爪１１５と係止溝１９０の係合は、先ず、係合爪１１５を係止溝１９０内に挿し込み、次いで蓋体１０１（係合爪１１５）をスライド移動させて係止溝１９０と係合させることで行われる。この係合状態は、固着状態を解除しなければ解除されないので、固着部の代わりになる。このため、固着箇所を少なくでき、組み付け易くコストダウンが招来できる。つまり、四隅にこのような係合部があれば、四隅を全て固着しなくてもよい（四隅を開けることができない）。また、蓋枠１１２の仕切り壁１１７は、遊技制御回路基板１３０の電子部品実装領域１３２とコネクタ実装領域１３４とを蓋体１０１の内外に仕切った状態にある。これにより、蓋体１０１を取り外すことなく、コネクタ１３３への配線取り付け及び配線取り外しが可能になる。
【００４８】
そして、図９及び図１１に示すＡ・Ｂ方向において、取付片部１０４ａの取付穴１０６ａを本体枠１７０の取付穴１８３にワンウェイネジ（ビス）１９１で止める（図１２（Ａ）参照）。これにより、蓋体１０１と取付基体１５０との内部空間に遊技制御回路基板１３０を封止状態で収納した組付体（回路基板ボックス１００）が構成される。なお、このような遊技制御回路基板１３０の封止状態において、外部に露出して設けられるコネクタ実装領域１３４は、配線パターン１３７が被覆部材２００で被覆されている。このため、コネクタ実装領域１３４を外部に露出して設けた構成でも、配線パターン１３７を利用した不正行為を防止することができる。また、このような組み付け状態で、仕切り壁１１７の先端部分は、被覆部材２００と当接することにより、各規制壁２０３・２０４を蓋体１０１の内側に配している。これにより、不正行為でビス２０６が取り外された場合でも、遊技制御回路基板１３０の封止状態（蓋体１０１の固着状態）を解除しない限り被覆部材２００が取り外せないようになっている。
【００４９】
また、回路基板ボックス１００内には、導電板１１８が設けられているので、電磁シールド効果が得られる。さらに、回路基板ボックス１００は、その上壁面を構成する上板１０２と導電板１１８、及び下壁面を構成する底板１５１をそれぞれ透視性を有する素材から形成することで、遊技制御回路基板１３０の実装面（上面）及びハンダ面（下面）を外部から透視できるようにしている。このため、遊技制御回路基板１３０に不正な工作（例えば、ジャンパー配線を接続したり、電子部品を実装したりする不正工作）が施された場合には、直ちにその不正工作が判るようになっている。
【００５０】
また、上記した蓋体１０１と取付基体１５０との組み付け状態において、各装備穴１８７〜１８９に挿通されたワンウェイネジ１９１は、その上方から蓋体１０１が覆いかぶさるようにして取り付けられることで、装備穴１８７〜１８９から外れることなく回路基板ボックス１００内に収納されている。即ち、このような収納状態で、蓋体１０１の各取付片部１０４ｂ・１０４ｃ及び取付穴１０７ｄ近傍の上壁面が個々にワンウェイネジ１９１の飛び出しを阻止している。なお、ワンウェイネジ１９１の装備方法は、実施形態中に記載のものに限定しない。例えば、回路基板ボックス１００の組み付け状態で、ワンウェイネジ１９１の頭部を蓋体１０１（取付片部など）によって完全に押え込む構成としたり、あるいはワンウェイネジ１９１の径と装備穴１８７〜１８９の径をほぼ同じ構成としてもよい。このような構成とした場合には、回路基板ボックス１００の閉塞状態で、装備されたワンウェイネジ１９１のガタ付きを押えることができる。
【００５１】
ここで、ワンウェイネジ１９１について説明する。ワンウェイネジ１９１は、ネジ締め方向にしか回らない特殊なネジであり、一旦締め付けるとネジを破壊しない限り取り外すことができない。具体的には、図１３（Ａ)(Ｂ）に示すように、その頭部１９２に設けられたネジ溝が当接面部１９３と凹部１９４と中心穴部１９５とから構成されている。そして、図１３（Ｃ)(Ｄ）に示す特殊マイナスドライバー１９６でネジ締めを行う場合には、ドライバー１９６の中心軸部１９７を中心穴部１９５に差し込み、この状態からドライバー１９６の当接片部１９８を当接面部１９３に当接させて一方向（図１３（Ａ）の時計回り方向）に頭部１９２を回転させることでネジ締めを行う。一方、ドライバー１９６で頭部１９２を他方向（図１３（Ａ）の反時計回り方向）に回転させてネジ１９１を取り外そうとした場合には、ドライバー１９６が凹部１９４に入り込んで滑ってしまい頭部１９２を回転させることができずにネジ１９１の取り外しが行えない。なお、通常のマイナスドライバーでも頭部１９２を一方向に回転させてネジ締めすることは可能であるが、特殊マイナスドライバー１９６のように、中心軸部１９７をワンウェイネジ１９１の中心穴部１９５に差し込んでワンウェイネジ１９１との位置決めを行った方が締め付け作業が容易に行える。
【００５２】
次に、上記した回路基板ボックス１００を機構板５０に取り付けるための取付台２１０について図３を参照して説明する。取付台２１０は、図３に示すように、合成樹脂（金属でもよい）によって形成された長方形板からなり、その基板中央には断面逆Ｌ字状をなす一対の係合レール２１１が所定間隔を置いて条設されている。なお、係合レール２１１の条設方向は、取付台２１０の長辺部に沿った左右方向となっている。取付台２１０の各長辺部（前後端縁）には、基板面に対して直交するガイド片２１２が突設されている。取付台２１０の右側端部には、弾性変形する解除レバー２１３が形成されており、該解除レバー２１３の基部には、取付基体１５０側の係止穴１７４と係合する係合突起２１４が突設されている。また、取付台２１０の基板面には、機構板５０側の前記取付ボス７３に取付台２１０をビス２１７で止着するための止め穴２１５が穿設されている。また、取付台２１０には、回路基板ボックス１００をスライド装着したときに前記検出器収納部材１６０が取付台２１０に当らないように図示左側のほぼ中央に切欠部２１６が形成されている。
【００５３】
しかして、上記した取付台２１０は、止め穴２１５を介して機構板５０の取付ボス７３にビス止めされることで機構板５０上の所定部位に固定される。また、この取付台２１０に回路基板ボックス１００を取り付けるときには、取付台２１０に対して回路基板ボックス１００を左側方からスライド装着させる。このとき、取付台２１０側の係合レール２１１は、回路基板ボックス１００側の係合片１７２と係合した状態にあり、ガイド片２１２は、回路基板ボックス１００のスライド移動を案内する。そして、このような回路基板ボックス１００のスライド移動によって取付台２１０側の解除レバー２１３が下方に弾性変形し、遂には、回路基板ボックス１００側の係止穴１７４が取付台２１０側の係合突起２１４と係合して回路基板ボックス１００の装着が完了する。一方、回路基板ボックス１００を取付台２１０から取り外すときには、解除レバー２１３を下方に押して係止穴１７４と係合突起２１４との係合を解除し、この状態から回路基板ボックス１００を左側方にスライドさせることで簡単に取り外すことができる。即ち、回路基板ボックス１００は、機構板５０にビス止め固定された取付台２１０に対して着脱自在な構成となっている。
【００５４】
ところで、上記取付台２１０を介した回路基板ボックス１００の弾球遊技機１への取り付け状態では、図２に示すように、被覆部材２００の配設側が上側になるように取り付けられる。このため、次に説明する遊技制御回路基板１３０の検査等によって蓋体１０１と取付基体１５０との被覆状態を解除した場合でも、蓋体１０１側の係合爪１１５と取付基体１５０側の係止溝１９０との係合状態（係合爪１１５が係止溝１９０に引っ掛かって蓋体１０１が取付基体１５０にぶら下がった状態）が維持されるので、回路基板ボックス１００の開閉作業が容易になる。
【００５５】
次に、上記した回路基板ボックス１００を遊技制御回路基板１３０の検査（出荷納入後にＲＯＭが正規のものか否かを遊技場等で検査する）のために開放し、その後再度閉塞状態に復元する手順を図１４に基づいて説明する。先ず、図１４（Ａ）に示す回路基板ボックス１００の閉塞状態において、刻印「１」を目印に各連結部１０５ａ・１０６ａをニッパー等の切断工具で切断する。これにより、取付片部１０４ａは、蓋体１０１から完全に分離され且つワンウェイネジ１９１によって取付基体１５０に固着された状態となる。即ち、取付基体１５０に対する蓋体１０１の固着がホログラムシール１２２を除いて全て解除されるため、ホログラムシール１２２を破損すれば、回路基板ボックス１００の開放が可能になる。そして、図１４（Ｂ）に示すように、取付基体１５０から蓋体１０１を取り外して遊技制御回路基板１３０の検査を行う。
【００５６】
また、このような蓋体１０１の取り外し（連結部１０５ａ・１０６ａの切断）によって、各装備穴１８７〜１８９に挿通されたワンウェイネジ１９１は、取り出し可能な状態となり、このうち装備穴１８７に挿通されたワンウェイネジ１９１を回路基板ボックス１００の復元用に取り出す。その後、回路基板ボックス１００を閉塞するときには、図１４（Ｃ）に示すように、蓋体１０１を取付基体１５０に被せた状態で、取り出したワンウェイネジ１９１を刻印「２」を目印に取付片部１０４ｂの取付穴１０７ｂに螺着する。これにより、取付片部１０４ｂの取付穴１０７ｂとこれに対応する本体枠１７０の取付穴１８４とがワンウェイネジ１９１によって共締めされて、回路基板ボックス１００が再度閉塞状態に復元される。
【００５７】
なお、上記した遊技制御回路基板１３０の検査作業は、回路基板ボックス１００のメーカー側の営業マンが行い、その営業マンは、検査履歴シール１１０に自分の氏名（検査者）と検査日を記入することで、検査した旨を回路基板ボックス１００に明記するようになっている。さらには、基板番号、検査者、検査日、及びデータ入力者などをメーカー側の管理コンピュータに入力しておくことで、検査履歴シール１１０の記載が正規のものか否か判別できるようにしておく。また、このような検査履歴のデータ入力方法としては、ホールコンピュータとメーカーの管理コンピュータと営業所の端末コンピュータとの間でネットワークを組み、営業所で入力したデータ内容を管理コンピュータに記録しておく。そして、ホールコンピュータから入力された基板番号などのデータによってその検査履歴データを管理コンピュータから読み出して閲覧できるようにしてもよい。
【００５８】
その後、回路基板ボックス１００を再度検査（２回目の検査）する場合には、刻印「２」を目印に各連結部１０５ｂ・１０６ｂを切断する。これにより、取付片部１０４ｂを蓋体１０１から分離させて回路基板ボックス１００を開放する。後は同様に、各連結部１０５ｂ・１０６ｂの切断に伴って取り出したワンウェイネジ１９１（装備穴１８８のワンウェイネジ１９１）を刻印「３」を目印に取付片部１０４ｃの取付穴１０７ｃに螺着する。これにより、回路基板ボックス１００が再度閉塞状態に復元される。それ以降、回路基板ボックス１００を検査（３回目の検査）する場合には、刻印「３」を目印に各連結部１０５ｃ・１０６ｃを切断することで、取付片部１０４ｃを蓋体１０１から分離させて回路基板ボックス１００を開放する。また、回路基板ボックス１００の復元時には、各連結部１０５ｃ・１０６ｃの切断に伴って取り出したワンウェイネジ１９１（装備穴１８９のワンウェイネジ１９１）を最後に残った取付穴１０７ｄに螺着する。
【００５９】
ところで、上記した回路基板ボックス１００の閉塞状態においては、連結部１０５ａ〜１０５ｃ・１０６ａ〜１０６ｃを切断して取付片部１０４ａ〜１０４ｃと上板１０２との連結を解除しない限り、回路基板ボックス１００が開放できないようになっている。従って、遊技制御回路基板１３０の検査以外で連結部１０５ａ〜１０５ｃ・１０６ａ〜１０６ｃが切断されるような場合は、この切断により遊技制御回路基板１３０に不正が行われたことが即座に且つ確実に判別できるため、回路基板ボックス１００の防犯効果を高めることができる。また、回路基板ボックス１００の構成では、上板１０２の溶着突起１０３を切り離しても、導電板１１８が遊技制御回路基板１３０上に落ち込むため、溶着突起１０３を切り離した隙間から遊技制御回路基板１３０に細工をしようとしても導電板１１８がそれを阻止する。
【００６０】
上記したように、本実施形態に係る回路基板ボックス１００は、連結部１０５ａ〜１０５ｃ・１０６ａ〜１０６ｃを破壊しない限り、蓋体１０１と取付基体１５０とを分離して開放することができないものであるところ、前述したように、始動入賞玉検出器１３８が収納される検出器収納部材１６０が回路基板ボックス１００の機構板５０への取付面側に突設されている。したがって、回路基板ボックス１００を機構板５０の裏面に止着される取付台２１０に装着したときには、図１５に示すように、検出器収納部材１６０が機構板５０に形成される始動入賞玉集合部材６６の玉出口７０と誘導通路部８０との間隔内に挿通され、しかも検出器収納部材１６０に収納される始動入賞玉検出器１３８の検出穴が玉出口７０と合致するように係合溝１６５と係合突起７２とが係合するので、図１６に示すように、始動入賞口４３に入賞した打玉は、入賞玉集合カバー５２の前面側に形成される始動玉誘導径路５２ａ、玉入口６９、入賞玉傾斜樋６７、玉出口７０を通って始動入賞玉検出器１３８によって検出され、その後、誘導通路部８０、入賞玉集合樋６４を流下して入賞玉処理装置６０によって処理されるものである。
【００６１】
以上、実施形態に係る回路基板ボックス１００について説明してきたが、本実施形態においては、始動入賞口４３に入賞した打玉が通過し且つ始動入賞玉検出器１３８が収納される検出器収納部材１６０を回路基板ボックス１００の機構板５０への遊技制御回路基板１３０よりも取付面側に突設する一方、始動入賞玉検出器１３８を回路基板ボックス１００の内側から検出器収納部材１６０に収納すると共に始動入賞玉検出器１３８と遊技制御回路基板１３０との接続部分であるコネクタ１４０を分離して開放することが困難な回路基板ボックス１００の内部に設けたので、始動入賞玉検出器１３８の配線１３９と遊技制御回路基板１３０との途中に不正回路基板を介装することは困難になる。また、始動入賞玉検出器１３８を収納する検出器収納部材１６０が遊技制御回路基板１３０の電子部品１３１の実装面と反対側であって回路基板ボックス１００の機構板５０への取付面側に突設して設けられているため、その突設位置を自由に設定できると共に、どのような構成の回路基板ボックス１００でも始動入賞玉の通過し得る玉通路を構成することが可能である。特に、図示の実施形態のように検出器収納部材１６０を、回路基板ボックス１００の取付面側で外側に突出させることにより、回路基板ボックス１００側に形成される始動入賞玉の流下する玉通路の構成を最も簡略化させることができるという利点がある  。
【００６２】
また、本実施形態においては、始動入賞玉検出器１３８及び該始動入賞玉検出器１３８と遊技制御回路基板１３０との接続部分であるコネクタ１４０を回路基板ボックス１００の外部から視認可能なように上板１０２，底板１５１，検出器収納部材１６０を透視し得る合成樹脂部材で形成したので、仮に不正が行われていても、外部から始動入賞玉検出器１３８、配線１３９、及びコネクタ１４０を視認できるので、容易に不正が行われたか否かを発見することができる。
【００６３】
また、本実施形態においては、回路基板ボックス１００を、遊技制御回路基板１３０を収納する取付基体１５０と蓋体１０１とで構成すると共に、該取付基体１５０と蓋体１０１とを取り外したことが容易にわかる封止手段（例えば、ホログラムシール１２２）又は取り外すことが困難な封止手段（例えば、溶着突起１０３、ワンウェイネジ１９１）で封止しているので、回路基板ボックス１００内に存在する始動入賞玉検出器１３８、配線１３９、及びコネクタ１４０への不正回路基板の取付を行うことが困難となり、仮に、封止手段１２２，１０３，１９１が破損されていれば、不正行為が行われた可能性が高く、不正行為を容易に発見することができる。
【００６４】
更に、本実施形態においては、弾球遊技機の裏面に配置される機構板５０に始動入賞口４３に入賞した打玉を分離誘導して最終的にすべての入賞玉を集合せしめる入賞玉集合樋６４に導く始動入賞玉誘導径路５２ａ，６６，８０を形成し、回路基板ボックス１００を機構板５０の裏面側に取り付けた状態で始動入賞玉検出器１３８を収納する検出器収納部材１６０が始動入賞玉誘導径路５２ａ，６６，８０の途中に挿入されることにより、回路基板ボックス１００を機構板５０に装着するだけで始動入賞口４３に入賞した打玉を回路基板ボックス１００に設けられる始動入賞玉検出器１３８で確実に検出することができる。
【００６５】
なお、上記した実施形態（以下、第一実施形態という）においては、回路基板ボックス１００を機構板５０の取付台２１０から取り外さない限り、不透明な遊技制御回路基板１３０に邪魔されて始動入賞玉検出器１３８を視認することができないが、取付台２１０から取り外さなくても始動入賞玉検出器１３８が視認できるような構造としても良い。このような構造を有する実施形態（以下、第二実施形態という）について図１７乃至図１９を参照して説明する。図１７は、第二実施形態に係る回路基板ボックス１００Ａの正面図であり、図１８は、その回路基板ボックス１００Ａを機構板５０の裏面に装着した状態の断面図であり、図１９は、その回路基板ボックス１００Ａの取付基体１５０の分解斜視図である。なお、図面中には、必要な符号だけを付したが、第一実施形態と同じ形態のものは同じ部品である。
【００６６】
しかして、第一実施形態と異なる点は、底板１５１の検出器収納部材１６０が取り付けられる取付凹部１５７に対応する遊技制御回路基板１３０に透視開口２２０を形成した点及び該透視開口２２０に配線１３９が貫通する点だけであり、その他の構成は、第一実施形態と全く同じである。したがって、この第二実施形態に係る回路基板ボックス１００Ａは、回路基板ボックス１００Ａを機構板５０の裏面に取り付けた状態で始動入賞玉検出器１３８及び始動入賞玉検出器１３８と遊技制御回路基板１３０との接続部分であるコネクタ１４０を弾球遊技機の裏面側から視認可能となるように遊技制御回路基板１３０に透視部としての透視開口２２０を形成したので、回路基板ボックス１００Ａを弾球遊技機から取り外すことなく、外部から始動入賞玉検出器１３８、配線１３９、及びコネクタ１４０を視認できるので、容易に不正が行われたか否かを発見することができる。なお、透視部は、開口２２０とは限らず、切欠でもよいし、透明な合成樹脂でも良い。
【００６７】
また、上記した第一実施形態にかかる回路基板ボックス１００は、弾球遊技機１の背面に配置される機構板５０に取り付けられるものを示したが、遊技盤４０の裏面に着脱自在に取り付けられる構造であってもよい。このような構造の実施形態（以下、第三実施形態という）について図２０を参照して説明する。図２０は、第三実施形態に係る遊技盤４０と回路基板ボックス１００Ｂとの関係を示す斜視図である。
【００６８】
図２０において、遊技盤４０の裏面には、ドラム式可変表示装置４１の周囲を覆う入賞玉集合カバー５２と、該入賞玉集合カバー５２と連続するようにその下方に入賞玉集合カバー２３０・２３１とが取り付けられている。下方の入賞玉集合カバー２３０・２３１には、回路基板ボックス１００Ｂを係脱する複数の係止爪２３２が突設されると共に、回路基板ボックス１００Ｂの脱落を防止するために回路基板ボックス１００Ｂの下部側壁に形成される係合溝（図示しない）と係合する係脱突起２３４を有する係脱片２３３が突設されている。したがって、回路基板ボックス１００Ｂを取り付けるには、係脱片２３３を下方に押圧した状態で回路基板ボックス１００Ｂの周壁上端縁部と係止爪２３２とを係合させ、その後、係脱片２３３の押圧を止めて係脱突起２３４を係合溝に係合させる。一方、回路基板ボックス１００Ｂを入賞玉集合カバー２３０・２３１から取り外すには、係脱片２３３を下方に押圧して係脱突起２３４と係合溝との係合を解除し、そのままのの状態で回路基板ボックス１００Ｂの下部を手前側下方に引き出すことにより簡単に取り外すことができる。また、中央の入賞玉集合カバー２３０には、回路基板ボックス１００Ｂの取付面側に突設される検出器収納突起２４１が挿入される長方形状の挿入開口２３５が形成されている。なお、この挿入開口２３５の上方であって入賞玉集合カバー２３０の前面側には、始動入賞玉を誘導する始動玉誘導径路２３６が形成されている。
【００６９】
一方、回路基板ボックス１００Ｂの構成は、第一実施形態の回路基板ボックス１００と概ね同じであるが、回路基板ボックス１００Ｂの底板２４０に形成される始動入賞玉検出器１３８を収納する収納部の構造の点で若干異なる。即ち、回路基板ボックス１００Ｂの裏面壁を構成する透過性の底板２４０には、始動入賞玉検出器１３８の外形状と合致する空間を有する検出器収納突起２４１が一体的に突設され、その検出器収納突起２４１に回路基板ボックス１００Ｂの内側から始動入賞玉検出器１３８が挿入固定される。そして、検出器収納突起２４１に始動入賞玉検出器１３８を挿入した状態でその挿入開口２４２をカバー板２４３で閉塞し、カバー板２４３の両端に形成される取付穴２４４と挿入開口２４２の外側に形成される止着穴２４５とを一致させてビスで螺着する。なお、カバー板２４３には、始動入賞玉検出器１３８の配線１３９を外に引き出す配線引き出し穴２４６が形成され、その引き出された配線１３９の先端のコネクタ１４０は、遊技制御回路基板の実装面側に導かれて遊技制御回路基板にコネクタ接続されている。
【００７０】
しかして、この第三実施形態においては、始動入賞口４３や可変表示装置４１が設けられる遊技盤４０の裏面に入賞玉集合カバー５２，２３０，２３１を設けると共に該入賞玉集合カバー５２，２３０，２３１の内側始動入賞口４３に入賞した打玉を分離誘導する始動入賞玉誘導径路２３６を形成し、回路基板ボックス１００Ｂを入賞玉集合カバー２３０，２３１の裏面側に取り付けた状態で始動入賞玉検出器１３８を収納する検出器収納突起２４１が始動入賞玉誘導径路２３６の途中に挿入されることにより、回路基板ボックス１００Ｂを入賞玉集合カバー２３０，２３１に装着するだけで始動入賞口４３に入賞した打玉を回路基板ボックス１００に設けられる始動入賞玉検出器１３８で確実に検出することができる。
【００７１】
以上、説明した実施形態においては、始動入賞口４３に入賞した打玉が通過し且つ始動入賞玉検出器１３８が収納される収納部として、長方形状に形成される始動入賞玉検出器１３８の検出穴部及び検出回路部のすべてを突出した状態で収納する構造のものを示したが、検出穴部だけを取付面側から外側に突出させ検出回路部を回路基板ボックス１００の内部に収納した構造のものでも良い。この場合において、始動入賞玉検出器１３８が回路基板ボックス１００の内側からしか装着できない構造であれば、必ずしも検出穴部の周囲を保護する収納部は、必要ない。また、図示の実施形態においては、検出器収納部材１６０の玉通過穴１６４だけが始動玉が通過する玉通路を構成するものであるが、底板１５１の裏面側に玉通過穴１６４の上下に角筒状の玉通路が形成されるように構成してもよい。更に、上記した実施形態においては、始動入賞玉検出器１３８を収納する検出器収納部材１６０だけを回路基板ボックス１００の取付面側から外側に突出したものについて説明したが、遊技制御回路基板１３０のハンダ面から回路基板ボックス１００の後方の空間の奥行巾寸法を打玉の直径よりもわずかに大きく形成して、その空間内に始動入賞玉検出器１３８が臨む玉通路を形成することができる程度の大きさをもって回路基板ボックス１００全体を構成したものでも良い。つまり、始動入賞玉検出器１３８を収納する検出器収納部材１６０を回路基板ボックス１００の取付面側から外側に突出させず、遊技制御回路基板１３０のハンダ面側に始動入賞玉検出器１３８を収納して設けるようなものでも良い。この構成をさらに発展させると、例えば、始動入賞玉集合部材６６の構成に相当する部材を回路基板ボックス１００の取付面側に一体的に形成した回路基板ボックスでも良い。
【００７２】
【発明の効果】
以上、説明したところから明らかなように、請求項１の発明においては、始動入賞口と、該始動入賞口に入賞した打玉を検出する始動入賞玉検出手段と、該始動入賞玉検出手段の出力に基づいて表示結果を導出する可変表示装置と、該可変表示装置を含む遊技装置の動作を制御する遊技制御回路基板を収納する回路基板ボックスと、を備えた弾球遊技機において、前記回路基板ボックスには、前記始動入賞口に入賞した打玉が通過し且つ前記始動入賞玉検出手段が収納される収納部を該回路基板ボックスの遊技制御回路基板よりも取付面側に設ける一方、前記始動入賞玉検出手段を該回路基板ボックスの内側から前記収納部に収納すると共に前記始動入賞玉検出手段と前記遊技制御回路基板との接続部分を該回路収納ボックスの内部に設けたので、始動入賞玉検出手段及びその配線の接続部分が回路基板ボックスの内部にあるため、その途中に不正回路基板を介装することは困難になる。また、始動入賞玉検出手段を収納する収納部が遊技制御回路基板の電子部品の実装面と反対側の電子部品が実装されないハンダ面であって回路基板ボックスの取付面側に設けられているため、電子部品に邪魔されることなく収納部の位置を自由に設定できると共に、どのような構成の回路基板ボックスでも始動入賞玉の通過し得る玉通路を構成することが可能である。
【００７３】
また、請求項２の発明は、前記収納部は、前記回路基板ボックスの取付面側で外側に突出していることにより、回路基板ボックス側に形成される始動入賞玉の流下する玉通路の構成を最も簡略化させることができる。
【００７４】
また、請求項３の発明は、前記始動入賞玉検出手段及び該始動入賞玉検出手段と前記遊技制御回路基板との接続部分を該回路基板ボックスの外部から視認可能なように形成したので、仮に不正が行われていても、外部から始動入賞玉検出手段、及びその接続部分を視認できるので、容易に不正が行われたか否かを発見することができる。
【００７５】
また、請求項４の発明は、前記回路基板ボックスは、前記遊技制御回路基板を収納する取付基体と蓋体とで構成されると共に、該取付基体と蓋体とを取り外したことが容易にわかる封止手段又は取り外すことが困難な封止手段で封止することにより、回路基板ボックス内に存在する始動入賞玉検出手段、及びその接続部分への不正回路基板の取付を行うことが困難となり、仮に、封止手段が破損されていれば、不正行為が行われた可能性が高く、不正行為を容易に発見することができる。
【００７６】
また、請求項５の発明は、前記回路基板ボックスを弾球遊技機の裏面に取り付けた状態で前記始動入賞玉検出手段及び該始動入賞玉検出手段と前記遊技制御回路基板との接続部分を弾球遊技機の裏面側から視認可能となるように前記遊技制御回路基板に透視部を形成することにより、回路基板ボックスを弾球遊技機から取り外すことなく、外部から始動入賞玉検出手段、その接続部分を視認できるので、容易に不正が行われたか否かを発見することができる。
【００７７】
また、請求項６の発明は、前記弾球遊技機の裏面に配置される機構板に前記始動入賞口に入賞した打玉を分離誘導して最終的にすべての入賞玉を集合せしめる入賞玉集合樋に導く始動入賞玉誘導径路を形成し、前記回路基板ボックスを前記機構板の裏面側に取り付けた状態で前記始動入賞玉検出手段を収納する前記収納部が前記始動入賞玉誘導径路の途中に挿入されることにより、回路基板ボックスを機構板に装着するだけで始動入賞口に入賞した打玉を回路基板ボックスに設けられる始動入賞玉検出手段で確実に検出することができる。
【００７８】
更に、請求項７の発明は、前記始動入賞口や可変表示装置が設けられる遊技盤の裏面に入賞玉集合カバーを設けると共に該入賞玉集合カバーの内側に前記始動入賞口に入賞した打玉を分離誘導する始動入賞玉誘導径路を形成し、前記回路基板ボックスを前記入賞玉集合カバーの裏面側に取り付けた状態で前記始動入賞玉検出手段を収納する前記収納部が前記始動入賞玉誘導径路の途中に挿入されることにより、回路基板ボックスを入賞玉集合カバーに装着するだけで始動入賞口に入賞した打玉を回路基板ボックスに設けられる始動入賞玉検出手段で確実に検出することができる。
【図面の簡単な説明】
【図１】本発明の一実施形態における弾球遊技機を示す正面図である。
【図２】弾球遊技機を示す背面図である。
【図３】回路基板ボックスと取付台との関係を示す斜視図である。
【図４】背面から見た回路基板ボックスの斜視図である。
【図５】回路基板ボックスの正面図である。
【図６】回路基板ボックスを取り付ける位置の機構板の部分斜視図である。
【図７】機構板に回路基板ボックスを装着したときに検出器収納部材が始動入賞玉誘導径路に介装される状態を示す部分拡大図である。
【図８】回路基板ボックスを取り付ける位置の図６と異なる構造を有する機構板の部分斜視図である。
【図９】回路基板ボックスを構成する蓋体の分解斜視図である。
【図１０】蓋体を構成する上板と蓋枠とを相互に密着する構造を示す部分断面図である。
【図１１】回路基板ボックスを構成する取付基体の分解斜視図である。
【図１２】蓋体と取付基体との被覆状態の解除が困難な構造を示す部分断面図である。
【図１３】その被覆状態の解除が困難な構造の一例であるワンウェイネジを説明するための説明図である。
【図１４】蓋体と取付基体とを検査用に開放する場合についての説明図である。
【図１５】回路基板ボックスを機構板に取り付けた状態の断面図である。
【図１６】始動玉の流下径路を示す機構板の背面図である。
【図１７】第二実施形態に係る回路基板ボックスの正面図である。
【図１８】その回路基板ボックスを機構板の裏面に装着した状態の断面図である。
【図１９】その回路基板ボックスの取付基体の分解斜視図である。
【図２０】第三実施形態に係る遊技盤と回路基板ボックスとの関係を示す斜視図である。
【符号の説明】
１  弾球遊技機（遊技機）
４０  遊技盤
４１  ドラム式可変表示装置（可変表示装置）
４３  始動入賞口
５０  機構板
５２  入賞玉集合カバー
５２ａ  始動玉誘導径路
６４  入賞玉集合樋
６６  始動入賞玉集合部材（始動入賞玉誘導径路）
８０  誘導通路部（始動入賞玉誘導径路）
１００，１００Ａ，１００Ｂ  回路基板ボックス
１０１  蓋体
１０２  上板
１０３  溶着突起（封止手段）
１２２  ホログラムシール（封止手段）
１３０  遊技制御回路基板
１３８  始動入賞玉検出器
１３９  配線
１４０  コネクタ（接続部分）
１５０  取付基体
１５１  底板
１６０  検出器収納部材（収納部）
１９１  ワンウェイネジ（封止手段）
２２０  透視開口（透視部）
２３０  入賞玉集合カバー
２３１  入賞玉集合カバー
２３６  始動玉誘導径路（始動入賞玉誘導径路）
２４１  検出器収納突起（収納部）
【図１】
0004124284.tif 000002
【図２】
0004124284.tif 000003
【図３】
0004124284.tif 000004
【図４】
0004124284.tif 000005
【図５】
0004124284.tif 000006
【図６】
0004124284.tif 000007
【図７】
0004124284.tif 000008
【図８】
0004124284.tif 000009
【図９】
0004124284.tif 000010
【図１０】
0004124284.tif 000011
【図１１】
0004124284.tif 000012
【図１２】
0004124284.tif 000013
【図１３】
0004124284.tif 000014
【図１４】
0004124284.tif 000015
【図１５】
0004124284.tif 000016
【図１６】
0004124284.tif 000017
【図１７】
0004124284.tif 000018
【図１８】
0004124284.tif 000019
【図１９】
0004124284.tif 000020
【図２０】
0004124284.tif 000021